(57)【要約】【課題】基礎躯体の構築を安全かつ効率的に行い得るようにする。【解決手段】足場装置は、躯体鉄筋１３にその上方に取り付けられる水平支持棒材２１を有し、水平支持棒材２１には外側支柱受け部材３１と内側支柱受け部材３２とが設けられている。内側支柱受け部材３２に手摺支柱３３が装着されるときには、躯体鉄筋１３の上方を覆うように足場板４２が配置され、外側支柱受け部材３１に手摺支柱３３が装着されるときには、躯体鉄筋１３の真上を開放するように足場板４２が配置される。手摺支柱３３の間には手摺部材４１が設けられる。これにより、躯体鉄筋の型枠工事とコンクリート打設工事とに足場板４２が使用される。【選択図】図３
2019206804.tif 000002
【特許請求の範囲】
【請求項１】
掘削床の上に水平に構築される躯体鉄筋の型枠工事と、型枠内へのコンクリート打設工事とに使用できる基礎躯体工事用の足場装置であって、
前記躯体鉄筋に取付支柱により前記躯体鉄筋よりも上方に取り付けられる複数の水平支持棒材と、
前記水平支持棒材の両端部に設けられる外側支柱受け部材と、
前記水平支持棒材にそれぞれの前記外側支柱受け部材よりも内側に設けられる内側支柱受け部材と、
前記内側支柱受け部材に手摺支柱が装着されるときには、前記躯体鉄筋の上方を覆うように、隣り合う２つの前記水平支持棒材の間に装着され、前記外側支柱受け部材に前記手摺支柱が装着されるときには、前記躯体鉄筋の真上を開放するように、隣り合う２つの前記水平支持棒材の間に装着される足場板と、
前記手摺支柱の間に設けられる手摺部材と、
を有する基礎躯体工事用の足場装置。
【請求項２】
請求項１記載の基礎躯体工事用の足場装置において、前記手摺部材は、ロープ等の索条部材からなる親綱、または金属製棒材からなる手摺棒である、基礎躯体工事用の足場装置。
【請求項３】
請求項１または２記載の基礎躯体工事用の足場装置において、それぞれの前記水平支持棒材の上には複数枚の前記足場板が並列となって配置され、前記足場板を前記躯体鉄筋の幅方向にずらすことにより、前記躯体鉄筋の上方を覆う位置と前記躯体鉄筋の真上を開放する位置とに前記足場板を切り換える、基礎躯体工事用の足場装置。
【請求項４】
請求項３記載の基礎躯体工事用の足場装置において、前記内側支柱受け部材に手摺支柱が装着されるときには、隣り合う２つの前記水平支持棒材の間に、前記水平支持棒材の中央部に位置させて３枚の前記足場板が装着され、前記外側支柱受け部材に前記手摺支柱が装着されるときには、隣り合う２つの前記水平支持棒材の間に、２枚の前記足場板が前記水平支持棒材の一端部側に寄せて装着される一方、１枚の前記足場板が前記水平支持棒材の他端部側に寄せて装着される、基礎躯体工事用の足場装置。
【発明の詳細な説明】
【技術分野】
【０００１】
本発明は、基礎躯体を構築するための躯体鉄筋を組み立てた後の型枠工事と、その後のコンクリート打設工事とに使用することができる基礎躯体工事用の足場装置に関する。
【背景技術】
【０００２】
鉄筋コンクリート製のビル等の建築物を建築するには、地中に場所打ちコンクリート杭等の杭が構築された後に、その杭頭部に連なる柱に建造物の最下層となる基礎躯体が水平に構築される。基礎躯体は基礎梁または地中梁とも言われ、基礎躯体鉄筋つまり躯体鉄筋を有している。躯体鉄筋は、掘削床の上に突出した鉄筋コンクリート製の柱の間に水平に構築され、躯体鉄筋にはコンクリートが打設される。
【０００３】
躯体鉄筋は、主に、水平方向に真っ直ぐに伸びる複数本の梁鉄筋つまり上下の主筋と、垂直方向に配置される四辺形のスターラップ筋とを組み立てることにより形成され、水平方向の上下の主筋は垂直方向のスターラップ筋の内側に配置される。特許文献１には、梁鉄筋支持金具に取り付けられる搬送路支持金具が記載されており、梁鉄筋支持金具は基礎躯体としての躯体鉄筋の梁鉄筋を支持するために使用される。梁鉄筋支持金具の水平バーには、足場板を支持するための搬送路支持金具が取り付けられ、足場板を走行する作業者の安全のために手摺が搬送路支持金具に取り付けられる。搬送路は、全ての柱の間に構築される基礎躯体の上に構築され、作業者が渡り桟橋として工事現場における躯体鉄筋の上方を移動するために使用される。
【０００４】
特許文献２には足場装置に取り付けられる手摺が記載されており、この特許文献２に記載される手摺は、水平部材に取り付けられる手摺支柱と、手摺支柱に取り付けられる手摺枠とを有している。
【０００５】
鉄筋からなる基礎躯体が構築されると、基礎躯体にはコンクリートを打設するために、型枠が掘削床の上に設置される。特許文献３には、地中梁を構築するためのユニット枠体が記載されており、ユニット枠体は配筋工事により躯体鉄筋の両側に配置される板材と、板材を連結するセパレータとを有しており、板材は地中に固定される縦端太材により垂直に支持される。
【先行技術文献】
【特許文献】
【０００６】
【特許文献１】特開平８−２０９９３９号公報
【特許文献２】特開２０１４−５１８７５号公報
【特許文献３】特開２００５−３３０６４９号公報
【発明の概要】
【発明が解決しようとする課題】
【０００７】
特許文献１に記載されるように、上下の主筋とスターラップ筋とからなる基礎躯体を構築するための躯体鉄筋の上に搬送路支持金具を介して足場板を装着すると、足場板は、型枠を掘削床に構築する作業者が移動するための渡り桟橋として使用することができる。しかし、躯体鉄筋にコンクリートを打設する際には、型枠の内部にコンクリートが注入されるので、型枠が取り付けられた後には、搬送路支持金具を躯体鉄筋から取り外す必要がある。
【０００８】
このため、コンクリート打設作業を行う直前に、掘削床の上に打設用の作業床を架設するようにしているが、この作業床は全ての型枠に対応して設けられておらず、作業に十分ではない。場合によっては、型枠の上や躯体鉄筋の上に作業者が乗って作業を行うこともあり、その作業を慎重に行う必要があり、作業性が悪いという課題がある。
【０００９】
本発明の目的は、基礎躯体の構築を安全かつ効率的に行い得るようにすることにある。
【課題を解決するための手段】
【００１０】
本発明の基礎躯体工事用の足場装置は、掘削床の上に水平に構築される躯体鉄筋の型枠工事と、型枠内へのコンクリート打設工事とに使用できる基礎躯体工事用の足場装置であって、前記躯体鉄筋に取付支柱により前記躯体鉄筋よりも上方に取り付けられる複数の水平支持棒材と、前記水平支持棒材の両端部に設けられる外側支柱受け部材と、前記水平支持棒材にそれぞれの前記外側支柱受け部材よりも内側に設けられる内側支柱受け部材と、前記内側支柱受け部材に手摺支柱が装着されるときには、前記躯体鉄筋の上方を覆うように、隣り合う２つの前記水平支持棒材の間に装着され、前記外側支柱受け部材に前記手摺支柱が装着されるときには、前記躯体鉄筋の真上を開放するように、隣り合う２つの前記水平支持棒材の間に装着される足場板と、前記手摺支柱の間に設けられる手摺部材と、を有する。
【発明の効果】
【００１１】
水平支持棒材の上に配置される足場板を水平支持棒材の上で躯体鉄筋の幅方向に移し変え移動させるとともに、水平支持棒材に取り付けられる手摺支柱を移し変え移動させることにより、躯体鉄筋が構築された状態のもとにおける型枠工事等を行う作業者は足場板を通路として建築現場を移動することができる。型枠工事が終了した後には、躯体鉄筋の真上を開放すれば、壁差し筋も可能となって型枠へのコンクリート打ち込み作業も容易に行うことができる。これにより、躯体鉄筋とコンクリートからなる基礎躯体を安全かつ効率的に短期間で行うことができる。
【図面の簡単な説明】
【００１２】
【図１】一実施の形態である基礎躯体工事用の足場装置が躯体鉄筋の上を作業者が走行するための渡り桟橋として使用されている状態を示す平面図である。
【図２】図１に示される足場装置が型枠内へのコンクリート打ち用の作業床として使用されている状態を示す平面図である。
【図３】図１におけるＡ−Ａ線拡大断面図である。
【図４】図３におけるＢ−Ｂ線拡大断面図である。
【図５】図２におけるＣ−Ｃ線拡大断面図である。
【図６】（Ａ）は図５におけるＤ−Ｄ線方向から見た手摺支柱の拡大正面図であり、（Ｂ）は手摺部材の変形例を示す（Ａ）と同様の部分を示す正面図である。
【図７】（Ａ）は渡り桟橋の上を走行する作業者を示す概略図であり、（Ｂ）は作業床の上で作業する作業者を示す概略図である。
【発明を実施するための形態】
【００１３】
以下、本発明の実施の形態を図面に基づいて詳細に説明する。図１には、掘削床１１の上に突出して構築された４本の支柱１２の上面が示されている。それぞれの支柱１２は鉄筋コンクリート製の建造物を構成し、地中に構築された場所受けコンクリート杭の頭部に連なって形成されている。
【００１４】
隣り合う２つの支柱１２の間の掘削床１１の上には、躯体鉄筋１３が図３に示されるように水平に構築される。躯体鉄筋１３は、隣り合う２つの支柱１２の間に水平に延びる複数本の上下の主筋１４と、主筋１４を横切るように垂直方向に配置される四辺形のスターラップ筋１５とを有している。躯体鉄筋１３の構造は、特許文献１に記載された梁鉄筋と同様である。図３においては、躯体鉄筋１３の上側の一部、つまり、上下の主筋１４のうち上主筋１４の部分のみが示されており、スターラップ筋１５は上下の主筋１４に沿う方向に所定の間隔を隔てて複数配置されている。図３は、図１におけるＡ−Ａ線拡大断面図を示すが、他の支柱１２の間の部分にも同様の躯体鉄筋１３が構築される。
【００１５】
図１はビル等の建造物を構成する４つの支柱１２を示しており、それぞれの支柱１２には図１において上下左右の方向に躯体鉄筋１３が構築される。図１において右上の支柱１２がビル等の角部の場合には、その支柱１２の右側と上側とには躯体鉄筋１３は構築されない。
【００１６】
それぞれの躯体鉄筋１３には、基礎躯体工事用の足場装置２０が取り付けられる。この足場装置２０は、躯体鉄筋１３の型枠工事と、型枠内へのコンクリート打設工事とに継続して使用される。図１および図２は、全ての躯体鉄筋１３の上側に足場装置２０が装着された状態を示しており、その下側に躯体鉄筋１３が設けられている。
【００１７】
足場装置２０は水平支持棒材２１を有しており、図３および図４に示されるように、躯体鉄筋１３には、躯体鉄筋１３の上方に位置させて水平方向に所定の間隔を隔てて複数の水平支持棒材２１が２つの取付支柱２２により取り付けられる。図１においては、躯体鉄筋１３に取り付けられた水平支持棒材２１が示されている。それぞれの取付支柱２２は、水平支持棒材２１に固定されるクランプ部材２３が設けられた上側片２４と、躯体鉄筋１３の上面に突き当てられる突き当て板２５が着脱自在に取り付けられた下側片２６とを有している。突き当て板２５には２つのフック２７が取り付けられており、それぞれのフック２７は上主筋１４に引っ掛けられ、上側片２４と下側片２６は、ねじ部材２８により連結される。クランプ部材２３は開閉式のアームを有しており、取付支柱２２は水平支持棒材２１に対して着脱自在となっている。
【００１８】
水平支持棒材２１の両端部には、図３に示されるように、外側支柱受け部材３１が取り付けられている。それぞれの外側支柱受け部材３１よりも水平支持棒材２１の内側に位置させて、内側支柱受け部材３２が水平支持棒材２１に取り付けられている。それぞれの外側支柱受け部材３１と内側支柱受け部材３２は、中空の円筒形状部材により形成され、水平支持棒材２１を貫通している。
【００１９】
外側支柱受け部材３１と内側支柱受け部材３２には、それぞれ手摺支柱３３の下端部が入り込んで、手摺支柱３３がそれぞれの受け部材に装着される。手摺支柱３３の下端部には、外側支柱受け部材３１と内側支柱受け部材３２の上端面に突き当てられる大径のフランジ部３４が設けられている。フランジ部３４はナットにより形成されており、ナットは手摺支柱３３に溶接される。
【００２０】
手摺支柱３３の上端部と中間部とには、それぞれクランプ部材３５が取り付けられている。それぞれのクランプ部材３５は金属棒材を折り曲げて形成されており、金属棒材の両端部の間にはスリット３６が設けられている。躯体鉄筋１３が延びる方向に隣り合う２つの手摺支柱３３の間には、図１および図２において二点鎖線で示されるように、手摺部材４１が設けられる。それぞれの手摺部材４１は親綱であり、クランプ部材３５に引っ掛けられて手摺支柱３３に装着される。手摺部材４１は、図６（Ａ）に示されるように、ロープからなる親綱により形成されている。ただし、ロープに限られず、ワイヤやチェーン等の索条部材により、手摺部材４１を形成するようにしても良い。
【００２１】
躯体鉄筋１３に沿う方向に隣り合う２つの水平支持棒材２１の間には、３枚の足場板４２が配置される。それぞれの足場板４２は躯体鉄筋１３の幅方向に並列となって配置される。図１および図３に示されるように、手摺支柱３３が内側支柱受け部材３２に装着されるときには、３枚の足場板４２は、側面が突き当てられるように、水平支持棒材２１にその中央部に集まって装着される。これにより、躯体鉄筋１３の上方は足場板４２により覆われ、足場板４２は躯体鉄筋１３の上方を作業者が走行するための渡り桟橋として使用される。
【００２２】
図１に示されるように、いずれかの足場板４２には昇降階段４３が取り付けられており、作業者は渡り桟橋としての足場板４２から、昇降階段４３により掘削床１１の上に下りることができる。さらに、掘削床１１から足場板４２の上に登ることができる。したがって、躯体鉄筋１３が掘削床１１の上に組み立てられ、躯体鉄筋１３の上に足場板４２が装着されると、図７（Ａ）に示されるように、作業者Ｐは足場板４２から掘削床１１に移動して、躯体鉄筋１３の型枠工事を行うことができる。足場板４２の上を走行移動するときには、手摺部材４１が手摺支柱３３に取り付けられているので、作業者Ｐは安全に足場板４２の上を走行することができる。なお、図７（Ａ）においては、それぞれ複数本の上主筋１４および下主筋１４とスターラップ筋１５からなる躯体鉄筋１３の横断面が示されている。
【００２３】
図５は、躯体鉄筋１３の両側に型枠４４が配置された状態を示す。両側の型枠４４は、躯体鉄筋１３の側面から所定の隙間を隔てて配置され、図示しないセパレータにより連結される。全ての型枠４４が掘削床１１の上に取り付けられて、型枠４４の組立作業が終了すると、型枠４４の内部には生コンクリートが打ち込まれる。生コンクリートはコンクリートミキサー車等のチューブから型枠内に注入される。そのときには、図２および図５に示されるように、手摺支柱３３が内側支柱受け部材３２から外側支柱受け部材３１に移し変えられる。手摺支柱３３を外側支柱受け部材３１に装着した後、２枚の足場板４２が水平支持棒材２１の一端部側に寄せて移動され、１枚の足場板４２が水平支持棒材２１の他端部側に寄せて移動される。これにより、両側の足場板４２の間には開放空間４５が形成され、躯体鉄筋１３の真上は開放される。
【００２４】
コンクリートミキサー車等のチューブは開放空間４５から型枠４４内に挿入されて、生コンクリートを注入するためのコンクリート打設工事が行われる。このときには、作業者Ｐは、図７（Ｂ）に示されるように、足場板４２の上において、手摺支柱３３や手摺部材４１に捕まって安全にコンクリート打設工事を行うことができる。
【００２５】
コンクリート打設工事により型枠内に生コンクリートが打ち込まれると、躯体鉄筋１３とコンクリートとからなる基礎躯体の構築が完了する。図５において、符号４６は打設された生コンクリートの上面の位置を示す。コンクリート打設工事が完了した後には、足場板４２、水平支持棒材２１、取付支柱２２の上側片２４は基礎躯体から撤去される。
【００２６】
図６（Ｂ）は、手摺部材の変形例を示す図であり、図６（Ａ）と同様の部分を示す。この手摺部材４１は、金属製棒材からなる中空の手摺棒である。手摺支柱３３の下端部にはフランジ３７が溶接されており、フランジ３７は外側支柱受け部材３１の上端に設けられたフランジ３８に突き当てられる。内側支柱受け部材３２にも同様のフランジ３８が設けられている。このように、図６（Ｂ）に示されるように、金属製棒材からなる手摺部材４１が使用されるときには、フランジ３８が設けられた外側支柱受け部材３１と内側支柱受け部材３２とが水平支持棒材２１に設けられる。手摺支柱３３には手摺部材４１としての手摺棒を固定するためのクランプ部材３９が取り付けられている。それぞれのクランプ部材３９は取付支柱２２に設けられたクランプ部材２３と同様の構造であり、開閉式のアームを有しており、手摺部材４１は手摺支柱３３に対して着脱自在となっている。
【００２７】
上述のように、躯体鉄筋１３が掘削床１１の上に組み立てられた後には、型枠４４が組み立てられる前に、躯体鉄筋１３には水平支持棒材２１が取り付けられ、水平支持棒材２１の上には足場板４２が配置される。このときには、足場板４２の上での作業者の走行安全性を高めるために、複数枚の足場板４２は寄せ集められて躯体鉄筋１３の上方を覆うように、水平支持棒材２１の中央部に配置される。作業者は足場板４２を走行路として、任意の位置に移動することができる。支柱１２の周囲には、直角に隣り合う他の足場板４２に乗り移るために図示しないベース板が配置される。
【００２８】
一方、躯体鉄筋１３に生コンクリートを打設する際には、手摺支柱３３を水平支持棒材２１の端部側に移動し、足場板４２を移動するだけで、躯体鉄筋１３の真上を開放することができる。これにより、足場板４２をそのまま利用してコンクリート打設作業用の作業床に切り換えることができ、コンクリートの打設作業を継続的に安全に行うことができる。したがって、足場板を使用した型枠工事とコンクリート打設工事とを効率的に、短期間に行うことができる。
【００２９】
本発明は前記実施の形態に限定されるものではなく、その要旨を逸脱しない範囲で種々変更可能である。足場板４２は３枚を並列に配置するようにしているが、足場板４２を２枚並列に配置するようにしても良く、４枚を並列に配置するようにしても良い。また、幅の広い１枚の足場板として、躯体鉄筋１３の上方を覆う位置と、躯体鉄筋１３の真上を開放する位置とに切換移動するようにしても良い。さらに、手摺部材４１としては、特許文献２に記載されるように、四辺形の手摺体を使用するようにしても良い。
【符号の説明】
【００３０】
１１    掘削床
１２    支柱
１３    躯体鉄筋
１４    主筋
１５    スターラップ筋
２０    足場装置
２１    水平支持棒材
２２    取付支柱
２３    クランプ部材
２４    上側片
２５    突き当て板
２６    下側片
２７    フック
２８    ねじ部材
３１    外側支柱受け部材
３２    内側支柱受け部材
３３    手摺支柱
３４    フランジ部
３５    クランプ部材
３６    スリット
３７、３８    フランジ
３９    クランプ部材
４１    手摺部材
４２    足場板
４３    昇降階段
４４    型枠
４５    開放空間
【図１】
2019206804.tif 000003
【図２】
2019206804.tif 000004
【図３】
2019206804.tif 000005
【図４】
2019206804.tif 000006
【図５】
2019206804.tif 000007
【図６】
2019206804.tif 000008
【図７】
2019206804.tif 000009